(57)【要約】【課題】  発明の水洗大便器によれば、排水トラップ流路を流れる汚物等を含む洗浄水が便器の外側に漏れる恐れがなく、かつ施工し易い、排水トラップ流路内の空気を吸引してサイホン作用を発生させ汚物の排出を行う水洗大便器を提供することができる。【解決手段】便器を洗浄する洗浄水を貯める洗浄水タンクを備えた水洗式便器であって、ボウル部と、このボウル部の下流側に連通する排水トラップ部とを備えた便器本体と、洗浄水タンク内に洗浄水を供給する洗浄水供給手段と、洗浄水タンク内に貯水された洗浄水を便器本体に排出する排水手段と、洗浄水タンク内に設けられ排水トラップ流路内の空気を吸気管を介して吸引する吸気手段と、を有し、吸気管と排水トラップ部を連通する接続部の接続口は、便器本体の上面及びこの上面から上方へと延びる側面、上記洗浄水タンクの底面とで囲まれる所定領域に形設されている。【選択図】    図１
2014058832.tif 000002
【特許請求の範囲】
【請求項１】
便器を洗浄する洗浄水を貯める洗浄水タンクを備えた水洗式便器であって、
ボウル部と、このボウル部の下流側に連通する排水トラップ部とを備えた便器本体と、
上記洗浄水タンク内に洗浄水を供給する洗浄水供給手段と、
上記洗浄水タンク内に貯水された洗浄水を上記便器本体に排出する排水手段と、
上記洗浄水タンク内に設けられ上記排水トラップ流路内の空気を吸気管を介して吸引する吸気手段と、を有し、
上記吸気管と上記排水トラップ部とを連通する接続部の接続口は、上記便器本体の上面及びこの上面から上方へと延びる側面、上記洗浄水タンクの底面とで囲まれる所定領域に形設されていることを特徴とする水洗式便器。
【請求項２】
上記吸気管は、上記洗浄水タンクの底面に対して略直角になるよう固定して設けられ、上記洗浄水タンクを上記便器本体の後方の上面へと取り付ける際に、上記吸気管の下端部が上記接続部の内側に嵌挿されることを特徴とする請求項１に記載の水洗式便器。
【請求項３】
上記接続部の内側に嵌挿される上記吸気管の下端部の外側には、シール部材が周設されていることを特徴とする請求項２に記載の水洗式便器。
【請求項４】
上記接続部は、上記便器本体の上面から上方へと所定距離突出して形成されていることを特徴とする請求項１乃至３の何れか１項に記載の水洗式大便器。
【請求項５】
上記便器本体の上面は、上記ボウル部に向かって下方へと傾斜していることを特徴とする請求項４記載の水洗大便器。
【請求項６】
上記接続部は、上記便器本体の上面において、平面視で、上記洗浄水タンクが上記便器本体に取り付けられた状態における上記洗浄水タンクの排水手段の位置より後方の領域に形設されていることを特徴とする請求項２乃至５の何れか１項に記載の水洗式大便器。
【発明の詳細な説明】
【技術分野】
【０００１】
本発明は、水洗大便器に係わり、特に、排水トラップ流路内の空気を吸引してサイホン作用を発生させ汚物の排出を行う水洗大便器に関する。
【背景技術】
【０００２】
従来から、例えば、特許文献１に記載されているように、便器本体を洗浄する洗浄水を貯める洗浄水タンクと、この洗浄水タンク内に配置され排水トラップ流路内の空気を吸引する吸気手段を有する水洗大便器が知られている。
【０００３】
この特許文献１に記載された水洗大便器においては、洗浄水タンクの底面に設けられた排水弁を開き、洗浄を開始すると、このタンク内の洗浄水が便器本体に供給される。この際に、タンク内の貯水水位は低下すると共に、吸気手段により、吸気ホース等を介して排水トラップ流路内の空気を吸引し、排水トラップ流路内で発生するサイホン作用を早期に発生させている。
また、この吸気ホースは、便器本体の排水トラップ流路の外壁に形成された円筒状の便器本体側接続部と、タンクの底面の外壁に形成されたタンク側接続部を、水洗大便器の外側で接続するように設けられている。
【先行技術文献】
【特許文献】
【０００４】
【特許文献１】特開平７−４２２１７号公報
【発明の概要】
【発明が解決しようとする課題】
【０００５】
上述した特許文献１に記載された従来の水洗大便器においては、吸気ホースが排水トラップ流路の外壁に形成された円筒状の便器本体側接続部と便器の外側で接続されているので、施工時にこの接続が不十分であったり、悪戯等によりこの接続が外されたりした状態で、使用者が洗浄を開始すると、排水トラップ流路を流れる汚物等を含む洗浄水が便器の外側に漏れたり、排水配管内の悪臭や衛生害虫がトイレ内に拡散する恐れがあるといった問題が生じていた。
【０００６】
また、施工時においては、先ず、便器本体を床に固定し、洗浄水タンクを便器本体の後方上面に取り付け、その後に、吸気ホースを便器本体側接続部と接続することとなる。この際に、施工者は便器後方の狭くて見え難い位置にて、便器本体側接続部と吸気ホースとの接続を行わなければならず、その接続が施工者にとって困難であるという問題も生じていた。
【０００７】
そこで、本発明は、上述した問題点を解決するためになされたものであり、排水トラップ流路を流れる汚物等を含む洗浄水が便器の外側に漏れる恐れがなく、かつ施工し易い、排水トラップ流路内の空気を吸引してサイホン作用を発生させ汚物の排出を行う水洗大便器を提供することを目的としている。
【課題を解決するための手段】
【０００８】
上記の目的を達成するために、本発明は、便器を洗浄する洗浄水を貯める洗浄水タンクを備えた水洗式便器であって、ボウル部と、このボウル部の下流側に連通する排水トラップ部とを備えた便器本体と、洗浄水タンク内に洗浄水を供給する洗浄水供給手段と、洗浄水タンク内に貯水された洗浄水を便器本体に排出する排水手段と、洗浄水タンク内に設けられ排水トラップ流路内の空気を吸気管を介して吸引する吸気手段と、を有し、吸気管と排水トラップ部を連通する接続部の接続口は、便器本体の上面及びこの上面から上方へと延びる側面、上記洗浄水タンクの底面とで囲まれる所定領域に形設されていることを特徴としている。
このように構成された本発明においては、吸気管と排水トラップ部を連通する接続部の接続口は、便器本体の上面及びこの上面から上方へと延びる側面、洗浄水タンクの底面とで囲まれる所定領域に形設され、接続口がこの所定領域に設けられている為に、洗浄水タンクを便器本体に取り付ける際に、それと同時に吸気管を接続部に取り付けることができ、洗浄水タンクを取り付ける設置作業で確実な接続を実現することができる。
また、洗浄水タンクを便器本体に取り付けた後は、吸気管と接続部との接続部分に外部よりアクセスすることができないため悪戯等により吸気管の接続が外されることを防止することができる。
また、万が一、吸気管と接続部から汚物等を含む洗浄水が漏れたとしても、所定領域内で受け止められるため、便器の外側に漏れる恐れもない。
よって、排水トラップ流路を流れる汚物等を含む洗浄水が便器の外側に漏れることなく信頼性を向上させることができ、施工者が水洗大便器を施工することを容易とし施工性を向上させることができる。
【０００９】
本発明において、吸気管は、洗浄水タンクの底面に対して略直角になるよう固定して設けられ、洗浄水タンクを便器本体の後方の上面へと取り付ける際に、吸気管の下端部が接続部の内側に嵌挿される。
このように構成された本発明によれば、吸気管と接続部との取り付けを簡単にすることができる。よって、排水トラップ流路を流れる汚物等を含む洗浄水が便器の外側に漏れることなく信頼性を向上させることができ、施工者が水洗大便器を施工することを容易とし施工性を向上させることができる。
【００１０】
本発明において、好ましくは、接続部の内側に嵌挿される吸気管の下端部の外側には、シール部材が周設されている。
このように構成された本発明においては、吸気管の下端部に周設されたシール部材を接続部内に圧入することにより、施工者に接続が確実にされていることを体感させることができるため、接続が不十分となることを防止することができる。
よって、排水トラップ流路を流れる汚物等を含む洗浄水が便器の外側に漏れることなく信頼性を向上させることができ、施工者が水洗大便器を施工することを容易とし施工性を向上させることができる。
【００１１】
本発明において、好ましくは、接続部は、便器本体の上面から上方へと所定距離突出して形成されている。
このように構成された本発明によれば、施工者が吸気管の下端を排水トラップ部の接続部に嵌挿し易くなり、排水トラップ流路を流れる汚物等を含む洗浄水が便器の外側に漏れることなく信頼性を向上させることができ、施工者が水洗大便器を施工することを容易とし施工性を向上させることができる。
【００１２】
本発明において、好ましくは、便器本体の上面は、ボウル部に向かって下方へと傾斜している。
このように構成された本発明によれば、万が一、吸気管と接続部の接続部分から汚物等を含む洗浄水が漏れたとしても、所定領域内で受け止められ、その後、ボウル部に排出されるために、便器の外側に漏れる恐れがない。
よって、排水トラップ流路を流れる汚物等を含む洗浄水が便器の外側に漏れることなく信頼性を向上させることができ、施工者が水洗大便器を施工することを容易とし施工性を向上させることができる。
【００１３】
本発明は、接続部は、便器本体の上面において、平面視で、洗浄水タンクが便器本体に取り付けられた状態における洗浄水タンクの排水手段の位置より後方の領域に形設されている。
このように構成された本発明においては、洗浄水タンクから便器本体に供給される洗浄水の流れを阻害することなく、吸気管との接続部との取り付けを簡単にすることができる。
よって、排水トラップ流路を流れる汚物等を含む洗浄水が便器の外側に漏れることなく信頼性を向上させることができ、施工者が水洗大便器を施工することを容易とし施工性を向上させることができる。
【発明の効果】
【００１４】
本発明の水洗大便器によれば、排水トラップ流路を流れる汚物等を含む洗浄水が便器の外側に漏れる恐れがなく、かつ施工し易い、排水トラップ流路内の空気を吸引してサイホン作用を発生させ汚物の排出を行う水洗大便器を提供することができる。
【図面の簡単な説明】
【００１５】
【図１】本発明の実施形態による水洗大便器を示す概略側面断面図である。
【図２】本発明の実施形態による水洗大便器を示す概略正面断面図である。
【図３】図１及び図２の吸気管の接続部分の拡大断面図である。
【発明を実施するための形態】
【００１６】
以下、図面を参照して、本発明の実施形態による水洗大便器について説明する。
先ず、図１及び図２により、本実施形態による水洗大便器の基本構造を説明する。図１は本発明の実施形態による水洗大便器を示す概略側面断面図であり、図２は本発明の実施形態による水洗大便器を示す概略正面断面図である。
【００１７】
図１及び図２に示すように、本実施形態による水洗大便器１は、タンク式の水洗大便器であり、洗浄水を貯水する貯水タンク２と、洗浄水が供給される便器本体４とを備えている。ここで、貯水タンク２は、節水型の貯水タンクであり、貯水される洗浄水量は、３．６リットル〜４．２リットルである。
【００１８】
便器本体４は、表面に釉薬層が形成された陶器製であり、下部にスカート部６が形成され、上半部のうち前方にボウル部８が形成され、後方上部に導水路１０、後方下部に排水路１２（排水トラップ流路）がそれぞれ形成されている。
【００１９】
ボウル部８は椀状をなす汚物受け面１４と上縁部を構成するリム部１６を有し、このリム部１６の下方側のボウル部８の上縁に沿った全周に、棚部１８が形成されている。また、リム部１６は、オープンリム形状で形成され、洗浄水が外に飛び出すことがないようになっている。リム部１６は、オープンリム形状で限定されることはなく、上方から見て死角となる部分がないオーバーハング形状や垂直壁で形成してもよく、本実施形態に限定されるものではない。
【００２０】
汚物受け面１４の中央で溜水面（封水面）Ｗの下方の箇所には排水路１２の入口１２ａが開口し、この排水路入口１２ａから上昇路１２ｂが後方に伸び、この上昇路１２ｂには下降路１２ｃ（縦管）が連続し、下降路１２ｃの下端は、排水ソケット（図示せず）を介して排出管に接続されている。下流路１２ｃの上方には、排出時に洗浄水が排水路１２を通過する際に排水路１２内に滞在している空気が逃げる空間１２ｄが形成されている。
【００２１】
便器本体４を前方から見て、リム部１６の棚部１８の後方には、リム吐水口２０が形成されている。ここで、リム吐水口２０は、この形状に限定されるものではない。このリム吐水口２０から棚部１８上に洗浄水が吐水され、洗浄水が棚部１８上を旋回しながら、ボウル部８の方へ流れていき、これにより、ボウル部８を洗浄するようになっている。
【００２２】
さらに、便器本体４内には、これらのリム吐水口２０に洗浄水を供給する導水路１０が形成されている。この導水路１０の詳細構造は後述する。
【００２３】
上述した導水路１０は、その上方に洗浄水流入口１０ａが形成され、この洗浄水流入口１０ａから、貯水タンク２内の洗浄水が導水路１０に流入するようになっている。この導水路１０は、便器本体４の上面１ａ及びこの上面１ａから上方へと延びる側面１ｂと、洗浄水タンクの底面２ａとで囲まれる所定領域から構成されている。便器本体４の上面１ａは後方から前方へ亘ってボウル部８に向かって下方へと傾斜している。これにより、洗浄水流入口１０ａから導水路１０へ供給された洗浄水を勢い良くボウル部８に流すことが可能となっている。
【００２４】
次に、図２により、貯水タンク２の構造について説明する。
図２に示すように、貯水タンク２は、内部タンク２８と、この内部タンク２８内に取り付けられた排水弁３０とを備え、さらに、この排水弁３０の下流側には、排水弁３０が着座する弁座、排水口を構成する筒体部材３２が設けられている。
【００２５】
この排水弁３０の動作を説明する。操作レバー３４が操作されると、それと連動して玉鎖が排水弁３０を引き上げて筒体部材３２から離間させ、筒体部材３２の排水口から洗浄水が流出する。洗浄水が貯水タンク２から排出された後は、図示しない洗浄水供給装置から貯水タンク２内に洗浄水が供給され、再び貯水タンク２が満水状態となる。
【００２６】
貯水タンク２内には、排水路１２内に滞在している空気を吸引するための吸気手段が設けられている。吸気手段は、ブース４０と吸気部材４１から構成され、吸気ホース４２と接続されている。この吸気手段は、洗浄初期のサイホン現象を洗浄水の流出時の減圧によって促進させる機能を有しており、ブース４０は上方が開放された矩形形状の筒体で形成され、貯水タンク２の左右方向のどちらか一方に寄せて配置されている。ブース４０の高さは、貯水タンク２の満水水位よりも高く、側壁の下端付近には開口が設けられて内部タンク２８の内部と連通している。給水ホース４２の途中には流路を開閉する開閉弁４３が設けられている。
【００２７】
ブース４０の内部には、貯水タンク２の満水水位よりも上端が高くなるように配置された吸気部材４１、吸気ホース４２が内在しており、吸気ホース４２は貯水タンク２の底面から差し込まれて略鉛直方向に立ち上げられて、略鉛直状態を維持するようにブース４０、内部タンク２８に保持されている。一方、便器本体の上面１ａには、円柱形状で形成され、上方に開口した接続口５０ａを有した接続部５０が立設されており、吸気ホース４２の下端が接続部５０内に嵌入されるようになっている。
【００２８】
接続部５０は、便器本体４の上面１ａの後方側の位置、具体的には、平面視で貯水タンク２の排水口を形成する筒体部材３２の位置より後方の領域に配置され、貯水タンク２の排水口から流出されボウル部８に向かう洗浄水の流れを阻害しない位置に設けられている。なお、接続部５０は、排水路１２の空間１２ｄ内と連通している。
【００２９】
以上の構成において、図１に示すように便器本体４の排水路１２に溜水が溜まり、排水路１２の下降路１２ｃにはエアギャップができているとき、操作レバー３４によって排水弁３０を開くと、貯水タンク２から導水路１０へ洗浄水が供給され、リム吐水口２０からボウル部８に放出される。これにより、貯水タンク２内の洗浄水の水位が低下すると同時に排水路１２の下降路１２ｃは洗浄水によって満たされる。このため、排水路１２の空間１２ｄ内の空気が密封されることになり、水位の低下によって内圧が下がっているブース４０側に吸気部材４１、吸気ホース４２を介して空気が吸引される。動作としては従来と同様であるために詳細説明は省略する。
【００３０】
次に、図３により、本実施形態による水洗大便器の基本構造の詳細を説明する。図３は、図１及び図２の吸気管の接続部分の拡大断面図である。
吸気ホース４２の貯水タンク２の底面２ａから下方へと所定距離突出している部分は、貯水タンク２の底面２ａと略直角に、ブース４０、内部タンク２８に固定されている。一方、接続部５０は、便器本体４を構成する陶器とは別部材、例えば、樹脂や金属等で構成されており、便器本体４の上面１ａから上方へと所定距離突出した状態で、排水路１２と導水路１０とを連通する便器本体４の連通孔に挿入され螺子固定されている。
【００３１】
給水ホース４２の先端の下端部にはシール部材４２ａ周設されおり、給水ホース４２を接続部５０内に挿入するだけでシール性能を保つことができるようになっており、給水ホース４２と接続部５１との接続部分から漏れが発生しないようになっている。
【００３２】
本実施形態では、便器を洗浄する洗浄水を貯める洗浄水タンク２８を備えた水洗式便器であって、ボウル部８と、このボウル部８の下流側に連通する排水トラップ部１２とを備えた便器本体４と、洗浄水タンク２８内に洗浄水を供給する洗浄水供給手段と、洗浄水タンク内に貯水された洗浄水を便器本体に排出する排水手段３０、３２と、洗浄水タンク２８内に設けられ排水トラップ流路１２内の空気を吸気管４２を介して吸引する吸気手段４０、４１と、を有し、吸気管４２と排水トラップ部１２を連通する接続部５０の接続口５０ａは、便器本体４の上面１ａ及びこの上面１ａから上方へと延びる側面１ｂ、上記洗浄水タンクの底面２ａとで囲まれる所定領域に形設されている。
【００３３】
このように構成された本実施形態においては、吸気管４２と排水トラップ部１２を連通する接続部５０の接続口５０ａは、便器本体の上面１ａ及びこの上面１ａから上方へと延びる側面１ｂ、洗浄水タンク２８の底面２ａとで囲まれる所定領域に形設され、接続口５０ａがこの所定領域に設けられている為に、洗浄水タンク２８を便器本体４に取り付ける際に、それと同時に吸気管４２を接続部５０に取り付けることができ、洗浄水タンク２８を取り付ける設置作業で確実な接続を実現することができる。
また、洗浄水タンク２８を便器本体４に取り付けた後は、吸気管４２と接続部５０との接続部分に外部よりアクセスすることができないため悪戯等により吸気管４２の接続が外されることを防止することができる。
また、万が一、吸気管４２と接続部５０から汚物等を含む洗浄水が漏れたとしても、所定領域内で受け止められるため、便器の外側に漏れる恐れもない。
よって、排水トラップ流路１２を流れる汚物等を含む洗浄水が便器の外側に漏れることなく信頼性を向上させることができ、施工者が水洗大便器を施工することを容易とし施工性を向上させることができる。
【００３４】
本実施形態では、吸気管４２は、洗浄水タンクの底面２ａに対して略直角になるよう固定して設けられ、洗浄水タンクを便器本体４の後方の上面１ａへと取り付ける際に、吸気管４２の下端部が接続部５０の内側に嵌挿される。
このように構成された本発明によれば、吸気管４２と接続部５０との取り付けを簡単にすることができる。よって、排水トラップ流路１２を流れる汚物等を含む洗浄水が便器の外側に漏れることなく信頼性を向上させることができ、施工者が水洗大便器を施工することを容易とし施工性を向上させることができる。
【００３５】
本実施形態では、好ましくは、接続部５０の内側に嵌挿される吸気管４２の下端部の外側には、シール部材４２ａが周設されている。
このように構成された本発明においては、吸気管４２の下端部に周設されたシール部材４２ａを接続部５０内に圧入することにより、施工者に接続が確実にされていることを体感させることができるため、接続が不十分となることを防止することができる。
よって、排水トラップ流路１２を流れる汚物等を含む洗浄水が便器の外側に漏れることなく信頼性を向上させることができ、施工者が水洗大便器を施工することを容易とし施工性を向上させることができる。
【００３６】
本実施形態では、好ましくは、接続部５０は、便器本体４の上面１ａから上方へと所定距離突出して形成されている。
このように構成された本発明によれば、施工者が吸気管４２の下端を接続部５０に嵌挿し易くなり、排水トラップ流路１２を流れる汚物等を含む洗浄水が便器の外側に漏れることなく信頼性を向上させることができ、施工者が水洗大便器を施工することを容易とし施工性を向上させることができる。
【００３７】
本実施形態では、好ましくは、便器本体４の上面１ａは、ボウル部８に向かって下方へと傾斜している。
このように構成された本発明によれば、万が一、吸気管４２と接続部５０の接続部分から汚物等を含む洗浄水が漏れたとしても、所定領域内で受け止められ、その後、ボウル部８に排出されるために、便器の外側に漏れる恐れがない。
よって、排水トラップ流路１２を流れる汚物等を含む洗浄水が便器の外側に漏れることなく信頼性を向上させることができ、施工者が水洗大便器を施工することを容易とし施工性を向上させることができる。
【００３８】
本実施形態では、接続部５０は、便器本体４の上面において、平面視で、洗浄水タンク２８が便器本体４に取り付けられた状態における洗浄水タンク２８の排水手段３０、３２の位置より後方の領域に形設されている。
このように構成された本発明においては、洗浄水タンク２８から便器本体４に供給される洗浄水の流れを阻害することなく、吸気管４２との接続部５０との取り付けを簡単にすることができる。
よって、排水トラップ流路１２を流れる汚物等を含む洗浄水が便器の外側に漏れることなく信頼性を向上させることができ、施工者が水洗大便器を施工することを容易とし施工性を向上させることができる。
【符号の説明】
【００３９】
１  水洗大便器
２  貯水タンク
４  便器本体
８  ボウル部
１０  導水路
１２  排水路
１４  汚物受け面
１６  リム部
１８  棚部
２０  リム吐水口
２８  内部タンク
３０  排水弁
３２  筒体部材
【図１】
2014058832.tif 000003
【図２】
2014058832.tif 000004
【図３】
2014058832.tif 000005